(57)【要約】      （修正有）【課題】包装フィルムに１枚毎に収納された折り畳みウェットティッシュを、包装フィルムを開封して取り出した後に、素早くかつ容易に広げることのできる折り畳みウェットティッシュを提供する。【解決手段】方形のウェットティッシュ１０であって、ウェットティッシュ１０のいずれか一つの辺１０ｄに指先のつかみ代として見出し状の張り出し部２を設けて折り畳まれたことを特徴とする。【選択図】図１
0003211737.tif 000002
【実用新案登録請求の範囲】
【請求項１】
方形のウェットティッシュであって、
前記ウェットティッシュのいずれか一つの辺に
指先のつかみ代として見出し状の張り出し部を設けて折り畳まれたことを
特徴とする折り畳みウェットティッシュ。
【請求項２】
請求項１記載の折り畳みウェットティッシュの見出し状の張り出し部の長さは、３ｍｍ乃至１０ｍｍであることを
特徴とする折り畳みウェットティッシュ。
【考案の詳細な説明】
【技術分野】
【０００１】  本考案は、包装フィルムに１枚毎に収納された折り畳みウェットティッシュに関するものである。
【背景技術】
【０００２】  食堂やレストラン並びに仕出し弁当等で手拭き用に提供されるウェットティッシュは、通常、包装フィルムにより１枚毎に折り畳まれた状態で収納されており、このウェットティッシュを使用する際には、包装フィルムを開封してウェットティッシュ取り出した後、指先で折り畳み面を広げて使用されている。折り畳みウェットティッシュに関しては、折り方を工夫して収納されたものもある。（例えば、特許文献１参照）
【先行技術文献】
【特許文献】
【０００３】
【特許文献１】特開２０１３−８５９４３号  公報
【考案の概要】
【考案が解決しようとする課題】
【０００４】  上述のように、包装フィルムに１枚毎に折り畳まれた状態で収納されているウェットティッシュを使用する際には、包装フィルムを開封してウェットティッシを取り出した後、指先で折り畳み面を広げて使用されているが、折り畳まれたウェットティッシュは濡れているため折り畳まれた面が互いに密着した状態で重なり合っており、折り畳まれた面を広げようとしても思うように広げられないという課題があった。【０００５】  本考案は、折り畳まれた状態のウェットティッシュを素早くかつ容易に広げることのできる折り畳みウェットティッシュの提供を目的とする。
【課題を解決するための手段】
【０００６】  上記目的を達成するために、本考案の折り畳みウェットティッシュは、方形のウェットティッシュであって、前記ウェットティッシュのいずれか一つの辺に、指先のつかみ代として見出し状の張り出し部を設けて折り畳まれたことを特徴としている。
【考案の効果】
【０００７】  本考案の折り畳みウェットティッシュを包装フィルムから取り出した後、折り畳み面を広げる際には張り出した見出し状の部分を指先でつかんだ状態で他方の手の指先を使うことにより素早くかつ容易に折り畳みウェットティッシュを広げることができる。このため、これまで折り畳みウェットティッシュを広げる際にどこから開けばよいか糸口が見つかりにくいことにより発生していたいらいら感を解消することができるとともに気持ちに余裕を持って手拭きを行うことができる。
【図面の簡単な説明】
【０００８】
【図１】本考案に係る折り畳みウェットティッシュ１の折り畳まれる前の方形のウェットティッシュ１０の平面図を示す。
【図２】図１における折り位置１０ａに沿って内側に折られた状態の一部折り畳みウェットティッシュを示す。
【図３】図２における折り位置１０ｂに沿って更に内側に折られた状態の折り畳みウェットティッシュを示す。
【図４】図３における折り位置１０ｃに沿って更に外側に折られた状態の折り畳みウェットティッシュを示す。
【図５】図３のＡ−Ａ線断面におけるウェットティッシュの折り畳み状況の拡大概略図を示す。
【図６】本考案に係る折り畳みウェットティッシュ１を模型的に示した斜視図である。
【図７】従来の折り畳みウェットティッシュ２０の折り畳み工程（順）を示す図で、（Ａ）は折り畳まれる前の方形のウェットティッシュ２０の平面図を示し、（Ｂ）は（Ａ）の折り位置２０ａ、２０ａに沿って内側に折られた状態の一部折り畳みウェットティッシュを示し、（Ｃ）は（Ｂ）の状態から更に折り位置２０ｂに沿って内側に折られた状態の折り畳みウェットティッシュを示し、（ｄ）は（ｃ）の状態から更に折り位置２０ｃに沿って内側又は外側に折られた状態の折り畳みウェットティッシュを示す。
【考案を実施するための形態】
【０００９】  以下、本考案に係る折り畳みウェットティッシュの一実施の形態について、図１乃至図７に基づいて説明する。
図１は、折り畳まれる前の方形のウェットティッシュ１０の平面図を示すが、この形状は長方形でも正方形でもよい。
図１の辺１０ｄは、前記の方形のウェットティッシュ１０のいずれか１つの辺を示し、この辺に対向する辺を１０ｅとし、辺１０ｄ側に張り出し部の長さＬを有する見出し状の張り出し部２を形成させている。また、１０ａは折り位置を示し、この位置ライン（点線）に沿ってウェットティッシュ１０を折り畳む。
図１の状態からの本考案に係る折り畳みウェットティッシュの折り畳み方を次に説明する。
【００１０】  先ず、辺１０ｅを折り位置１０ａに沿って内側に辺１０ｄ側に折るが、この際、辺１０ｅを張り出し部の長さＬだけ残して折り、図２の状態とする。
次に図２に示す折り位置１０ｂに沿って同様に辺１０ｆを張り出し部の長さＬだけ残して折り、図３の状態とする。
図５は図３のＡ−Ａ線断面におけるウェットティッシュの折り畳み状況の概略図を示している。
なお、この状態で包装フィルムに収納してもよいし、ウェットティッシュや包装フィルムのサイズの関係で、更に図３に示す折り位置１０ｃに沿って外側に折り畳んだ後に収納してもよい。
【００１１】  図３又は図４の状態で包装フィルムに収納されたウェットティッシュ１を包装フィルムから取り出した後に広げる際には、張り出した見出し状の部分が一見して広げ口だと確認できるため、前記見出し状の部分を指先でつかんだ状態で他方の手の指先を使うことにより素早くかつ容易に折り畳みウェットティッシュを広げることができる。
【００１２】  また、張り出し部の長さＬは、請求項２に記載のとおり３ｍｍ乃至１０ｍｍの範囲内がよい。
【００１３】  図７に従来の折り畳みウェットティッシュ２０を折り畳み工程（折り畳み順）と共に示しているが、折り畳み後のウェットティッシュは本考案の見出し状の張り出し部がないため包装フィルムから取り出した後にどこから開けばよいか糸口が見つかりにくく、また、広げようとしても折り畳み面が密着して広げにくい。
【００１４】  なお、実施例は図１及び図２に示すように最初の折り位置を中央付近としているが、辺１０ｅから順次折り畳んでいき、図３の状態としてもよい。
【符号の説明】
【００１５】  １    折り畳みウェットティッシュ
２    見出し状の張り出し部
１０  折り畳まれる前の方形のウェットティッシュ
１０ａ、１０ｂ、１０ｃ  折り位置
１０ｄ、１０ｅ、１０ｆ  ウェットティッシュの辺
２０  従来の折り畳みウェットティッシュ
２０ａ、２０ｂ、２０ｃ  折り位置
Ｌ    張り出し部の長さ
【図１】
0003211737.tif 000003
【図２】
0003211737.tif 000004
【図３】
0003211737.tif 000005
【図４】
0003211737.tif 000006
【図５】
0003211737.tif 000007
【図６】
0003211737.tif 000008
【図７】
0003211737.tif 000009